(57)【要約】      （修正有）【課題】携帯通信端末を携帯上収納するための便利な携帯通信端末の収納用具を提供する。【解決手段】携帯通信端末Ａの受け座Ｂとその折り曲げ可能なカバーシートＣの受け座用バック取付面１６との互いに対応合致する部位へ、吸引作用する磁石を各々埋設一体化すると共に、その磁石同士の吸引力によって面接触することとなる受け座Ｂとその受け座用バック取付面１６との何れか一方から他方に向かって滑り止め用凸子２２を隆起させ、その他方に凸子受け入れ貫通孔１０を対応形成して、上記携帯通信端末Ａの受け座ＢをそのカバーシートＣの受け座用バック取付面１６へ表側から、その磁石同士の吸引作用並びに滑り止め用凸子２２とその凸子受け入れ貫通孔１０との嵌合作用を介して、着脱自在に取り付ける。【選択図】図１
0003195665.tif 000002
【実用新案登録請求の範囲】
【請求項１】
多機能携帯電話器やその他の携帯通信端末（Ａ）へ背後から抱き付け使用される受け座（Ｂ）と、
その受け座（Ｂ）の抱き付け状態にある上記携帯通信端末（Ａ）を、全体的に被覆する折り曲げ可能なカバーシート（Ｃ）とから成る携帯通信端末（Ａ）の収納用具（Ｍ）において、
上記携帯通信端末（Ａ）の受け座（Ｂ）とそのカバーシート（Ｃ）の受け座用バック取付面（１６）との互いに対応合致する部位へ、吸引作用する磁石（１１）（１１）（２１）（２１）を各々埋設一体化すると共に、
その磁石（１１）（１１）（２１）（２１）同士の吸引力によって面接触することとなる上記受け座（Ｂ）とそのカバーシート（Ｃ）における受け座用バック取付面（１６）との何れか一方から他方に向かって滑り止め用凸子（２２）を隆起させ、その他方に凸子受け入れ凹溝又は凸子受け入れ貫通孔（１０）を対応形成して、
上記携帯通信端末（Ａ）の受け座（Ｂ）をそのカバーシート（Ｃ）の受け座用バック取付面（１６）へ表側から、その磁石（１１）（１１）（２１）（２１）同士の吸引作用並びに滑り止め用凸子（２２）とその凸子受け入れ凹溝又は凸子受け入れ貫通孔（１０）との嵌合作用を介して、着脱自在に取り付けることを特徴とする携帯通信端末の収納用具。
【請求項２】
磁石（１１）（１１）（２１）（２１）をその大きさと形状並びに厚みがすべて同じ２個づつとして、携帯通信端末（Ａ）の受け座（Ｂ）とそのカバーシート（Ｃ）における受け座用バック取付面（１６）との互いに対応合致する部位へ、各々点在分布状態に埋設一体化したことを特徴とする請求項１記載の携帯通信端末の収納用具。
【請求項３】
カバーシート（Ｃ）の受け座用バック取付面（１６）から滑り止め用凸子（２２）を表向きに隆起させる一方、
その凸子（２２）と嵌脱自在に嵌合される凸子受け入れ貫通孔（１０）を、携帯通信端末（Ａ）の受け座（Ｂ）に対応形成したことを特徴とする請求項１記載の携帯通信端末の収納用具。
【請求項４】
カバーシート（Ｃ）の中央部を携帯通信端末（Ａ）の受け座（Ｂ）とほぼ同じ大きさの長方形な受け座用バック取付面（１６）として、
そのバック取付面（１６）を形作る左右何れか一方の長辺から、携帯通信端末（Ａ）の対応的な一方のサイドカバー面（１７Ｌ）と引き続くフロントカバー面（１８）とを一連に張り出し延長させ、
上記バック取付面（１６）を形作る他方の長辺から、同じく携帯通信端末（Ａ）の対応的な他方のサイドカバー面（１７Ｒ）と引き続く上記フロントカバー面（１８）に表側から召し合わせるフラップ面（１９）とを一連に張り出し延長させて、
上記バック取付面（１６）の左右両長辺から携帯通信端末（Ａ）を包み込む状態に折り曲げられるフロントカバー面（１８）とフラップ面（１９）との召し合わせ部位を、着脱自在の磁石（２３）（２４）によって閉鎖することを特徴とする請求項１記載の携帯通信端末の収納用具。
【請求項５】
カバーシート（Ｃ）の左右何れか一半部を携帯通信端末（Ａ）の受け座（Ｂ）とほぼ同じ大きさの長方形な受け座用バック取付面（１６）として、
そのバック取付面（１６）を形作る左右何れか一方の長辺から、携帯通信端末（Ａ）の対応的な一方のサイドカバー面（１７Ｌ）と引き続くフロントカバー面（１８）とを一連に張り出し延長させ、
上記バック取付面（１６）を形作る他方の長辺から、上記フロントカバー面（１８）に表側から重ね合わせるバンド（２７）を連続的に張り出して、
上記バック取付面（１６）における左右何れか一方の長辺から携帯通信端末（Ａ）を挟み込む状態に折り曲げられるフロントカバー面（１８）と上記バンド（２７）との重ね合わせ部位を、着脱自在の面ファスナー（２８ａ）（２８ｂ）によって閉鎖することを特徴とする請求項１記載の携帯通信端末の収納用具。
【請求項６】
カバーシート（Ｃ）における携帯通信端末（Ａ）のフロントカバー面（１８）に、その内側から抜き差しできる複数の各種カード用差込みポケット（２３）を列設したことを特徴とする請求項４又は５記載の携帯通信端末の収納用具。
【請求項７】
カバーシート（Ｃ）における携帯通信端末（Ａ）のサイドカバー面（１７Ｌ）（１７Ｒ）に、吊り下げ用索条の係止孔（２４）を開口形成したことを特徴とする請求項４又は５記載の携帯通信端末の収納用具。
【考案の詳細な説明】
【技術分野】
【０００１】
本考案は多機能携帯電話器（iPhone (登録商標）の如きスマートフォン）やタブレット型端末、その他の各種携帯通信端末を携帯上収納するための便利な用具に関する。
【背景技術】
【０００２】
この種携帯通信端末の折り曲げ可能な見開き式収納用具が特許文献１、２に記載されている。
【０００３】
その特許文献１に記載された収納具の構成では、携帯通信端末（Ｓ）の受け座となる吸盤（３）を備えた本体付属物（２）が、手帳型の折り曲げ可能な収納具本体（１）へ縫着や接着などの手段によって固定一体化されているに比し、特許文献２に記載されたケースの構成では、携帯通信端末の受け座となるケース本体（１００）が手帳型の折り曲げ可能な保護カバー（２００）へ着脱自在に取り付けられており、その携帯通信端末を使用上ケース本体（１００）へ嵌め込んだセット状態のまま操作できる点で、本考案に最も近似する公知技術であると考えられる。
【先行技術文献】
【特許文献】
【０００４】
【特許文献１】実用新案登録第３１９０５８１号公報
【特許文献２】特開２０１４−１５５１３５号公報
【考案の概要】
【考案が解決しようとする課題】
【０００５】
ところが、上記特許文献２に開示された着脱自在の取付構成では、ケース本体（１００）の背面に設けられたフック（１１０）をその保護カバー（２００）の内面に対応形成された差込帯（引掛部）（２１０）へ、抜き差し自在に差し込み掛止させる（引掛ける）ようになっているだけであるため、その保護カバー（２００）による携帯通信端末の包み込み状態において、万一引掛け方向と逆向きの姿勢になった場合、携帯通信端末のケース本体（１００）が保護カバー（２００）から抜け出し落下することは必至である。
【０００６】
尚、上記特許文献２に開示の収納具では本体付属物（２）に、携帯通信端末（Ｓ）の背面（裏面）へ直かに吸着される吸盤（３）を固定しているが、その吸盤（３）は格子状に点在分布する多数の小型吸盤本体（３２）から成るため、携帯通信端末（Ｓ）の全体を水平状態に支持する安定性や意匠性、耐用性、量産効果などに劣り、清掃も行い難い。このような諸問題は、吸盤（３）のフラットな基盤（３１）から落下防止用ストッパー（３３）を突出させたとしても、到底解消することができない。
【課題を解決するための手段】
【０００７】
本考案はこのような課題の改良を目的としており、そのために請求項１では多機能携帯電話器やその他の携帯通信端末へ背後から抱き付け使用される受け座と、
【０００８】
その受け座の抱き付け状態にある上記携帯通信端末を、全体的に被覆する折り曲げ可能なカバーシートとから成る携帯通信端末の収納用具において、
【０００９】
上記携帯通信端末の受け座とそのカバーシートの受け座用バック取付面との互いに対応合致する部位へ、吸引作用する磁石を各々埋設一体化すると共に、
【００１０】
その磁石同士の吸引力によって面接触することとなる上記受け座とそのカバーシートにおける受け座用バック取付面との何れか一方から他方に向かって滑り止め用凸子を隆起させ、その他方に凸子受け入れ凹溝又は凸子受け入れ貫通孔を対応形成して、
【００１１】
上記携帯通信端末の受け座をそのカバーシートの受け座用バック取付面へ表側から、その磁石同士の吸引作用並びに滑り止め用凸子とその凸子受け入れ凹溝又は凸子受け入れ貫通孔との嵌合作用を介して、着脱自在に取り付けることを特徴とする。
【００１２】
また、請求項２では磁石をその大きさと形状並びに厚みがすべて同じ２個づつとして、携帯通信端末の受け座とそのカバーシートにおける受け座用バック取付面との互いに対応合致する部位へ、各々点在分布状態に埋設一体化したことを特徴とする。
【００１３】
請求項３ではカバーシートの受け座用バック取付面から滑り止め用凸子を表向きに隆起させる一方、
【００１４】
その凸子と嵌脱自在に嵌合される凸子受け入れ貫通孔を、携帯通信端末の受け座に対応形成したことを特徴とする。
【００１５】
請求項４ではカバーシートの中央部を携帯通信端末の受け座とほぼ同じ大きさの長方形な受け座用バック取付面として、
【００１６】
そのバック取付面を形作る左右何れか一方の長辺から、携帯通信端末の対応的な一方のサイドカバー面と引き続くフロントカバー面とを一連に張り出し延長させ、
【００１７】
上記バック取付面を形作る他方の長辺から、同じく携帯通信端末の対応的な他方のサイドカバー面と引き続く上記フロントカバー面に表側から召し合わせるフラップ面とを一連に張り出し延長させて、
【００１８】
上記バック取付面の左右両長辺から携帯通信端末を包み込む状態に折り曲げられるフロントカバー面とフラップ面との召し合わせ部位を、着脱自在の磁石によって閉鎖することを特徴とする。
【００１９】
請求項５ではカバーシートの左右何れか一半部を携帯通信端末の受け座とほぼ同じ大きさの長方形な受け座用バック取付面として、
【００２０】
そのバック取付面を形作る左右何れか一方の長辺から、携帯通信端末の対応的な一方のサイドカバー面と引き続くフロントカバー面とを一連に張り出し延長させ、
【００２１】
上記バック取付面を形作る他方の長辺から、上記フロントカバー面に表側から重ね合わせるバンドを連続的に張り出して、
【００２２】
上記バック取付面における左右何れか一方の長辺から携帯通信端末を挟み込む状態に折り曲げられるフロントカバー面と上記バンドとの重ね合わせ部位を、着脱自在の面ファスナーによって閉鎖することを特徴とする。
【００２３】
請求項６ではカバーシートにおける携帯通信端末のフロントカバー面に、その内側から抜き差しできる複数の各種カード用差込みポケットを列設したことを特徴とする。
【００２４】
更に、請求項７ではカバーシートにおける携帯通信端末のサイドカバー面に、吊り下げ用索条の係止孔を開口形成したことを特徴とする。
【考案の効果】
【００２５】
請求項１の上記構成によれば、携帯通信端末の受け座はそのカバーシートの受け座用バック取付面へ、互いに対応合致する磁石同士の吸引力並びに滑り止め用凸子とその凸子受け入れ凹溝又は凸子受け入れ貫通孔との嵌合作用を介して、着脱自在に取り付けられるようになっているため、上記カバーシートによる携帯通信端末の被覆状態において、その姿勢が如何ように変化したとしても、その携帯通信端末がカバーシートから滑り出し落下するおそれはなく、安心して携帯できる効果がある。
【００２６】
また、上記カバーシートを展開して、その受け座用バック取付面から携帯通信端末の受け座を磁石同士の吸引力に抗しつつ、剥離する如く取りはずすことができ、その取りはずした受け座は携帯通信端末の背面（裏面）へ抱き付いた状態にあるため、そのままでの安全に携帯通信端末を使用して、通話や写真撮影、その他の必要な操作を行えるのであり、利便性にも優れる。
【００２７】
その場合、請求項２の構成を採用するならば、１個づつの大きな磁石を埋設する仕様に比して、その吸引力の強さを着脱しやすい適度に設定することができ、しかもその点在分布状態での埋設によって、カバーシートの受け座用バック取付面に対する上記受け座の振れ動きを防ぎ、自づと正確な方向性と姿勢状態に保てるのであり、量産効果の向上にも役立つ。
【００２８】
請求項３の構成を採用するならば、携帯通信端末の背面（裏面）に個性的な標章（ロゴマーク）などが施されているような場合に、これを受け座に開口する凸子受け入れ貫通孔から目視できる利点があるほか、その受け座を携帯通信端末と一緒に握り持つ手の抵抗や障害となるおそれもない。
【００２９】
特に、請求項４の構成を採用するならば、上記受け座が抱き付けられた状態にある携帯通信端末を、その折り曲げ可能なカバーシートによって包み込む状態に被覆することができ、その携帯上の安全性に優れる。
【００３０】
また、その包み込み状態に折り曲げられるフロントカバー面とフラップ面との召し合わせ部位は、やはり磁石同士の吸引力によって閉鎖されるようになっているため、その着脱操作の利便性並びに意匠性も向上する。
【００３１】
請求項５の構成を採用するならば、同じく受け座が抱き付けられた状態にある携帯通信端末を、その折り曲げ可能なカバーシートによって表裏（正背）方向から挟み込む状態に被覆することができ、その状態を閉鎖する着脱自在の面ファスナーとも相俟って、携帯に便利な手帳型の収納用具を得られる。
【００３２】
その場合、請求項６の構成を採用するならば、カバーシートにおける携帯通信端末のフロントカバー面に列設された複数の各種カード用差込みポケットへ、キャッシュカードやクレジットカード、定期券、その他の定型な各種カード類を抜き差し自在に差し込んで、上記通信端末と一緒に携帯できる利便性がある。
【００３３】
更に、請求項７の構成を採用するならば、上記カバーシートにおける携帯通信端末のサイドカバー面に開口する係止孔へ、適当な長さの紐や鎖などの索条を係止させることにより、その索条での肩から吊り下げた状態に便利良く携帯することができる。
【図面の簡単な説明】
【００３４】
【図１】本考案の第１実施形態を示す分解斜面図である。
【図２】図１の携帯通信端末に受け座を抱き付けた状態の斜面図である。
【図３】図２における携帯通信端末の受け座をカバーシートの受け座用バック取付面へ取り付けた状態の斜面図である。
【図４】図１の受け座を抽出して示す正面図である。
【図５】図４の背面図である。
【図６】図１の側面図である。
【図７】図１の底面図である。
【図８】図１のカバーシートを抽出して示す正面図である。
【図９】図８の側面図である。
【図１０】図８の背面図である。
【図１１】図３の正面図である。
【図１２】図１１の側面図である。
【図１３】図１１から折り曲げたカバーシートによって、携帯通信端末とその受け座を包み込んだ状態の正面図である。
【図１４】図１１の１４−１４線に沿う拡大断面図である。
【図１５】図１１の１５−１５線に沿う拡大断面図である。
【図１６】携帯通信端末の受け座とそのカバーシートにおける受け座用バック取付面との分離状態を示す図１５に対応する拡大断面図である。
【図１７】図１６における磁石同士の対応位置関係を示す説明図である。
【図１８】図１３の１８−１８線に沿う拡大断面図である。
【図１９】図１３の１９−１９線に沿う拡大断面図である。
【図２０】本考案の第２実施形態を示す図３に対応する斜面図である。
【図２１】図２０から折り曲げたカバーシートによって、携帯通信端末とその受け座を挟み込んだ状態の斜面図である。
【考案を実施するための形態】
【００３５】
以下、図面に基いて本考案の具体的構成を詳述すると、図１〜１９はその第１実施形態に係る携帯通信端末（Ａ）の収納用具（Ｍ）を示しており、これは携帯通信端末（Ａ）に背後から抱き付け使用される受け座（Ｂ）と、その受け座（Ｂ）の抱き付け状態にある携帯通信端末（Ａ）を、全体的に被覆する折り曲げ可能なカバーシート（Ｃ）とから成る。
【００３６】
図示実施形態の携帯通信端末（Ａ）はスマートフォン（多機能携帯電話器）であって、その縦方向に細長く扁平な長方形器体の表面（前面）にタッチパネルと、同じく側面に各種端子や操作スイッチなどを具備している。
【００３７】
そして、上記受け座（Ｂ）はポリカーボネートやシリコンゴム、熱可塑性ポリウレタン、その他の耐衝撃性を有する材料から、図１〜７のような携帯通信端末（Ａ）と対応合致する大きさの長方形に製作されており、その背面（裏面）へ係脱自在に抱き付け係止されるようになっている。（Ｘ１）はその長方形の短辺（幅）であって、例えば約７０mm、( Ｙ１）は同じく長方形の長辺（長さ）であり、例えば約１４０mmに寸法化されている。  
【００３８】
（１０）は上記長方形な受け座（Ｂ）の長手中心線（Ｈ−Ｈ）上に形成された円形の凸子受け入れ貫通孔であって、若干上方へ片寄った位置に開口しており、上記携帯通信端末（Ａ）の背面（裏面）に施された標章（例えばアップルのロゴマーク）を、その受け座（Ｂ）の抱き付け状態においても背後から目視できるようになっている。
【００３９】
また、（１１）（１１）は同じく受け座（Ｂ）の長手中心線（Ｈ−Ｈ）上に点在分布する状態として、その受け座（Ｂ）に埋設一体化された複数（図例では一定間隔を保つ２個）の磁石であり、図４、５のように上記凸子受け入れ貫通孔（１０）よりも下方に位置している。
【００４０】
その場合、図示実施形態の受け座（Ｂ）は表層（１２ａ）と裏層（１２ｂ）並びに中間層（１２ｃ）から成る一定厚み（例えば約３mm）の合計３層として結合一体化されており、大きさと形状並びに厚みが互いに同じ２個の磁石（１１）（１１）を、図１４〜１６から明白なように、その中間層（１２ｃ）に埋め込んでいる。
【００４１】
尚、上記受け座（Ｂ）には対象とする携帯通信端末（Ａ）との対応関係において、そのカメラの逃し孔（１３）を初め、各種端子や操作スイッチなどの逃し切欠（１４）又は逃し孔（１５）が設けられてもいる。
【００４２】
先に一言したカバーシート（Ｃ）は合成皮革や天然皮革、布地、その他の可撓性を有する材料から、財布型や手帳型、ブックカバー型などの形状に製作されており、その上記受け座（Ｂ）が抱き付けられた携帯通信端末（Ａ）を、全体的に包囲した折り曲げ状態において便利良く携帯することができるようになっている。
【００４３】
図１〜３や図８〜１２はそのカバーシート（Ｃ）の展開状態を示しており、その中央部が上記受け座（Ｂ）の背面（裏面）を取り付けるための受け座用バック取付面（１６）として、その受け座（Ｂ）とほぼ同じ大きさの縦方向に細長い長方形に造形されている。（Ｘ２）はその長方形の短辺（幅）、（Ｙ２）は同じく長方形の長辺（長さ）であり、上記長方形な受け座（Ｂ）のそれら（Ｘ１）（Ｙ１）とほぼ同じ寸法になっている。
【００４４】
上記長方形の受け座用バック取付面（１６）を形作る左右何れか一方（図１、８の左側）の長辺からは、受け座（Ｂ）が抱き付けられた携帯通信端末（Ａ）の対応的な一方（左側）のサイドカバー面（１７Ｌ）と、そのサイドカバー面（１７Ｌ）から更に引き続く携帯通信端末（Ａ）のフロントカバー面（１８）とが、一連に張り出し延長されている。
【００４５】
そして、上記バック取付面（１６）を形作る他方（図１、８の右側）の長辺からは、同じく受け座（Ｂ）が抱き付けられた携帯通信端末（Ａ）の対応的な他方（右側）のサイドカバー面（１７Ｒ）と、そのサイドカバー面（１７Ｒ）から更に引き続き上記フロントカバー面（１８）へ表側（前側）から召し合わせるフラップ面（１９）とが、やはり一連に張り出し延長されている。
【００４６】
その場合、上記携帯通信端末（Ａ）のフロントカバー面（１８）は上記受け座用バック取付面（１６）とほぼ同じ大きさ・形状の長方形に形成されている。図示実施形態のフラップ面（１９）はフロントカバー面（１８）よりも小さく、例えば約４０mmの最大幅（Ｘ３）を備えた二等辺三角形に形成されているが、そのフラップ面（１９）を上記フロントカバー面（１８）と同じ大きさの長方形に形成しても勿論良い。
【００４７】
また、上記カバーシート（Ｃ）における携帯通信端末（Ａ）の左右両側面を被覆する対応的な左右両サイドカバー面（１７Ｌ）（１７Ｒ）は、互いに同じ大きさ・形状の長方形として、上記受け座（Ｂ）の抱き付けられた状態にある携帯通信端末（Ａ）の厚み（Ｔ）よりも大きな一定幅（Ｗ）（例えば約約２５mm）を備えている。
【００４８】
この点、図示実施形態のカバーシート（Ｃ）は厚紙などの保形芯材（２０ｃ）を挟んだ表生地（２０ａ）と裏生地（２０ｂ）との合計３層から結合一体化されているが、その左右一対のサイドカバー面（１７Ｌ）（１７Ｒ）だけは図１４から明白なように、保形芯材（２０ｃ）を具備しない２層の薄肉な折り曲げヒンジとして、ここから上記携帯通信端末（Ａ）のフロントカバー面（１８）とその後フラップ面（１９）とを順次容易・円滑に折り曲げることにより、その携帯通信端末（Ａ）をカバーシート（Ｃ）の内部へ包み込むことができるようになっている。
【００４９】
更に、上記長方形な受け座用バック取付面（１６）の長手中心線（Ｏ−Ｏ）上における上記受け座（Ｂ）側の磁石（１１）（１１）と対応合致する部位には、その磁石（１１）（１１）と同数（一定間隔を保つ２個）の磁石（２１）（２１）が、やはり点在分布状態に埋設一体化されている。
【００５０】
そのカバーシート（Ｃ）側の磁石（２１）（２１）も図１４〜１６から明白なように、大きさと形状並びに厚みが互いに同じ２個として、上記保形芯材（２０ｃ）に埋め込まれており、表生地（２０ａ）と裏生地（２０ｂ）により挟まれた状態にあるため、上記受け座（Ｂ）側の磁石（１１）（１１）と同様に外部から見えず、その化粧効果を阻害するおそれはなく、清掃も容易に行える。
【００５１】
その場合、上記受け座（Ｂ）側の長手中心線（Ｈ−Ｈ）上に点在分布する磁石（１１）（１１）と、カバーシート（Ｃ）における受け座用バック取付面（１６）側の対応的な長手中心線（Ｏ−Ｏ）上に点在分布する磁石（２１）（２１）とは、図１７のようなＮ極とＳ極との向かい合う配置関係にあり、その異種な磁極の吸引作用によって、上記受け座（Ｂ）の背面（裏面）をそのカバーシート（Ｃ）の受け座用バック取付面（１６）へ、表側（前側）から着脱自在に取り付けることができるようになっている。
【００５２】
何れにしても、上記受け座（Ｂ）の背面（裏面）とそのカバーシート（Ｃ）における受け座用バック取付面（１６）の表面（前面）とは、その磁石（１１）（１１）（２１）（２１）同士の吸引力によって図１５、１８のような全体の面接触することとなる。（２２）はその面接触した取付状態において、上記受け座（Ｂ）側の円形な凸子受け入れ貫通孔（１０）へ嵌合する円形の滑り止め用凸子であり、上記カバーシート（Ｃ）における受け座用バック取付面（１６）の対応位置から表向き（前向き）に隆起されている。
【００５３】
図示実施形態の滑り止め用凸子（２２）は上記カバーシート（Ｃ）における保形芯材（２０ｃ）の部分的な厚肉化や別個な詰め物（２０ｄ）によって、表向きに一定高さ（例えば約３mm）だけ隆起されている。
【００５４】
但し、これを受け入れる上記受け座（Ｂ）側の凸子受け入れ貫通孔（１０）は、これに代る一定深さの凸子受け入れ凹溝（図示省略）として陥没させても良く、また図示実施形態との逆に、滑り止め用凸子（２２）を上記受け座（Ｂ）から裏向き（後向き）に隆起させる一方、その凸子受け入れ凹溝又は凸子受け入れ貫通孔（１０）をカバーシート（Ｃ）の受け座用バック取付面（１６）に対応形成してもさしつかえない。
【００５５】
その何れの構成を採用しても、携帯通信端末（Ａ）に背後から抱き付けられた受け座（Ｂ）は、そのカバーシート（Ｃ）における受け座用バック取付面（１６）へ図１５、１８のように、磁石（１１）（１１）（２１）（２１）同士の吸引作用によって取り付けられるばかりでなく、その吸引力を受けた一方の滑り止め用凸子（２２）と他方の凸子受け入れ凹溝又は凸子受け入れ貫通孔（１０）との嵌合状態に保たれるため、上記携帯通信端末（Ａ）の受け座（Ｂ）がそのカバーシート（Ｃ）から滑り出し落下するおそれはない。
【００５６】
（２３）は上記カバーシート（Ｃ）における長方形なフロントカバー面（１８）の内面（展開状態での表面／前面）に列設された複数の各種カード用差込みポケットであって、その水平なスリット（入り口部）からクレジットカードやキャッシュカード、通勤定期券、診察券、その他のカード類（図示省略）を抜き差し自在に差し込み収納することができる。
【００５７】
また、（２４）（２４）は同じくカバーシート（Ｃ）における上記受け座用バック取付面（１６）とフラップ面（１９）との相互間に介在するサイドカバー面（１７Ｒ）の両端部に開口形成された一対の係止孔であって、そのサイドカバー面（１７Ｒ）にかしめ付けられたリベットから具体化されており、その両係止孔（２４）（２４）へ適当な長さの紐や鎖などの吊り下げ用索条（図示省略）を係止させて、上記カバーシート（Ｃ）による携帯通信端末（Ａ）の包み込み状態にある収納用具（Ｍ）を、ユーザーの肩から吊り下げ携帯することでがきる。
【００５８】
更に、（２５）（２６）は上記カバーシート（Ｃ）におけるフロントカバー面（１８）と、そのフラップ面（１９）との召し合わせ部位へ、図１４、１８、１９のように各々埋設一体化された１個づつの磁石であって、その召し合わせ状態におけるＮ極とＳ極との向かい合う関係に対応配置されており、その異種な磁極の吸引作用よって、携帯通信端末（Ａ）の包み込み状態を閉鎖するようになっているが、その解除・展開も勿論支障なく行える。
【００５９】
図示実施形態の場合、上記向かい合う一対の磁石（２５）（２６）は互いに同じ大きさと形状並びに厚みを備えており、その一方の磁石（２６）が上記二等辺三角形をなすフラップ面（１９）の張り出し頂点部付近に埋め込まれていると共に、これと吸引作用する他方の磁石（２５）が上記長方形をなすフロントカバー面（１８）の中央部付近に埋め込まれている。
【００６０】
更に、図示の実施形態では上記受け座（Ｂ）側の磁石（１１）（１１）とカバーシート（Ｃ）における受け座用バック取付面（１６）側の磁石（２１）（２１）、同じくフロントカバー面（１８）側の磁石（２５）並びにフラップ面（１９）側の磁石（２６）を、その大きさと形状並びに厚みが例えば１円硬貨程度（直径：約１５〜２０mm、厚み：約１mm) の円盤形態として、悉く同一に設定することにより、収納用具（Ｍ）の量産効果を向上させているが、その大きさ、形状又は／及び厚みの異なる物を採用しても良い。
【００６１】
尚、上記滑り止め用凸子（２２）とその凸子受け入れ凹溝又は凸子受け入れ貫通孔（１０）の大きさや形状についても、図示実施形態のような直径が約２５mmの円形だけに限らず、適当な大きさの楕円形や多角形などを広く採用することができる。
【００６２】
次に、図２０、２１は本考案の第２実施形態に係る携帯通信端末（Ａ）の収納用具（Ｍ）を示しており、これではその収納用具（Ｍ）におけるカバーシート（Ｃ）の左右何れか一半部（図２０では右半部）を、その携帯通信端末（Ａ）の受け座（Ｂ）とほぼ同じ大きさの長方形な受け座用バック取付面（１６）として形成している。
【００６３】
そして、そのバック取付面（１６）を形作る左右何れか一方（図２０の左側）の長辺からは、上記受け座（Ｂ）が抱き付けられた携帯通信端末（Ａ）の対応的な一方（左側）のサイドカバー面（１７Ｌ）と、そのサイドカバー面（１７Ｌ）から更に引き続く携帯通信端末（Ａ）のフロントカバー面（１８）とを一連に張り出し延長させており、上記サイドカバー面（１７Ｌ）をやはり薄肉な折り曲げヒンジとして、ここからフロントカバー面（１８）を折り曲げることにより、携帯通信端末（Ａ）を上記受け座用バック取付面（１６）と相俟って挟み込むことができるようになっている。
【００６４】
また、上記バック取付面（１６）を形作る他方（右側）の長辺からは、携帯通信端末（Ａ）のフロントカバー面（１８）へ表側から重ね合わせるバンド（２７）を連続的に張り出しており、その重ね合わせ部位に対応設置された雌雄一対の面ファスナー（２８ａ）（２８ｂ）を介して、上記携帯通信端末（Ａ）の挟み込み状態を着脱自在に閉鎖することができるようになっている。
【００６５】
その場合、図示省略してあるが、上記カバーシート（Ｃ）におけるサイドカバー面（１７Ｌ）の両端部には上記第１実施形態と同様な一対の係止孔（２４）（２４）を開口形成して、ここへ吊り下げ用の索条を係止させても良い。
【００６６】
尚、第２実施形態の収納用具（Ｍ）におけるその他の構成は図１〜１９の上記第１実施形態と実質的に同一であるため、その図２０、２１に図１〜１９との同一符号を記入するにとどめて、その詳細な説明を省略する。
【００６７】
上記第１実施形態の構成によれば、その展開状態にあるカバーシート（Ｃ）の中央部をなす受け座用バック取付面（１６）へ表側（前側）から、携帯通信端末（Ａ）の受け座（Ｂ）を上記磁石（１１）（１１）（２１）（２１）同士の吸引力と、上記滑り止め用凸子（２２）とその凸子受け入れ凹溝又は凸子受け入れ貫通孔（１０）との嵌合作用によって、図３や図１１、１４、１５のように安定良く取り付けることができ、その不慮に脱落するおそれはない。
【００６８】
そして、その後カバーシート（Ｃ）における左右一対のサイドカバー面（１７Ｌ）（１７Ｒ）を薄肉な折り曲げヒンジとして、ここから上記バック取付面（１６）とほぼ同じ大きさの長方形なフロントカバー面（１８）と、その後フロントカバー面（１８）の表側（前側）からフラップ面（１９）とを順次内向きに折り曲げることにより、上記携帯通信端末（Ａ）を図１３や図１８、１９のような包み込み状態に被覆することができ、その状態をフロントカバー面（１８）とフラップ面（１９）との召し合い部位にある磁石（２５）（２６）同士の吸引力によって閉鎖し、安全に携帯し得るのである。
【００６９】
また、上記第２実施形態の構成によれば、その展開状態にあるカバーシート（Ｃ）の左右何れか一半部をなす受け座用バック取付面（１６）へやはり表側（前側）から、携帯通信端末（Ａ）の受け座（Ｂ）を上記磁石（１１）（１１）（２１）（２１）同士の吸引作用と、上記滑り止め用凸子（２２）とその凸子受け入れ凹溝又は凸子受け入れ貫通孔（１０）との嵌合作用によって、安定良く取り付けることができる。
【００７０】
その後、上記カバーシート（Ｃ）の中央部にあるサイドカバー面（１７Ｌ）をやはり薄肉な折り曲げヒンジとして、ここから上記バック取付面（１６）とほぼ同じ大きさの長方形なフロントカバー面（１８）を内向きに折り曲げることにより、上記携帯通信端末（Ａ）を図２１のような表裏（正背）方向からの挟み込み状態に被覆することができ、その状態をフロントカバー面（１８）とバンド（２７）との重合部位にある面ファスナー（２８ａ）（２８ｂ）の締結によって閉鎖し、安全に携帯し得ることとなる。
【００７１】
上記第１、２実施形態の何れにあっても、ユーザーが携帯通信端末（Ａ）を使用して、通話や写真撮影、その他の必要な各種操作を行う場合には、その被覆状態にあるカバーシート（Ｃ）の閉鎖を解いて展開し、携帯通信端末（Ａ）の受け座（Ｂ）を図２のように、その端末（Ａ）の背後に抱き付いた状態のままで、カバーシート（Ｃ）の受け座用バック取付面（１６）から上記磁石（１１）（１１）（２１）（２１）同士の吸引力に抗して、剥離する如く取りはずせば良い。
【００７２】
そうすれば、携帯通信端末（Ａ）は受け座（Ｂ）の抱き付け状態にあるため、その手持ち使用しての操作中に万一落下させたとしても、これを受け座（Ｂ）によって安全に防護することができる。
【００７３】
また、上記磁石（１１）（１１）（２１）（２１）は携帯通信端末（Ａ）の受け座（Ｂ）と、折り曲げ可能なカバーシート（Ｃ）における受け座用バック取付面（１６）との互いに対応合致する部位に、各々埋設一体化されているため、上記受け座（Ｂ）とその受け座用バック取付面（１６）とは滑り止め用凸子（２２）とその凸子受け入れ凹溝又は凸子受け入れ貫通孔（１０）を除く全体的なフラット面となり、その結果表面の清掃を行いやすく、耐用性や意匠性にも優れる。
【符号の説明】
【００７４】
（１０）・凸子受け入れ貫通孔
（１１）（２１）（２５）（２６）・磁石
（１２ａ）・表層
（１２ｂ）・裏層
（１２ｃ）・中間層
（１６）・受け座用バック取付面
（１７Ｌ）（１７Ｒ）・サイドカバー面
（１８）・フロントカバー面
（１９）・フラップ面
（２０ａ）・表生地
（２０ｂ）・裏生地
（２０ｃ）・保形芯材
（２０ｄ）・詰め物
（２２）・滑り止め用凸子
（２３）・差込みポケット
（２４）・係止孔
（２７）・バンド
（２８ａ）（２８ｂ）・面ファスナー
（Ａ）・携帯通信端末
（Ｂ）・受け座
（Ｃ）・カバーシート
（Ｍ）・収納用具
（Ｈ−Ｈ）（Ｏ−Ｏ）・長手中心線                                              
【図１】
0003195665.tif 000003
【図２】
0003195665.tif 000004
【図３】
0003195665.tif 000005
【図４】
0003195665.tif 000006
【図５】
0003195665.tif 000007
【図６】
0003195665.tif 000008
【図７】
0003195665.tif 000009
【図８】
0003195665.tif 000010
【図９】
0003195665.tif 000011
【図１０】
0003195665.tif 000012
【図１１】
0003195665.tif 000013
【図１２】
0003195665.tif 000014
【図１３】
0003195665.tif 000015
【図１４】
0003195665.tif 000016
【図１５】
0003195665.tif 000017
【図１６】
0003195665.tif 000018
【図１７】
0003195665.tif 000019
【図１８】
0003195665.tif 000020
【図１９】
0003195665.tif 000021
【図２０】
0003195665.tif 000022
【図２１】
0003195665.tif 000023